(57)【要約】      （修正有）【課題】多くの通信インターフェースに通信対応できる複合型コネクタを提供する。【解決手段】複合型コネクタ１は、その中に絶縁座体１０があり、基座１１と基座から前に伸びる舌板１２が含まれ、舌板に相対的な第一表面１２１と第二表面１２２があり；第一絶縁板２０は基座に結合し、舌板に平行になり、第一表面の片側に設置され；複数第一導電端子パット３０の片側は舌板と離れた第一絶縁板の第一外側面２１にあり、反対側は伸びて基座を貫通し；第二絶縁板４０は基座に結合し、舌板に平行になり、第二表面の片側に設置され；複数第二導電端子パット５０の片側は舌板と離れた第二絶縁板の第二外側面４１にあり、反対側は伸びて基座を貫通し；複数第一弾性導通端子６０の片側は第一表面と第一絶縁板の間に設置され、反対側は伸びて基座を貫通する。これによって、様々な通信インターフェースに通信対応できるようになる。【選択図】図４
0003207349.tif 000002
【実用新案登録請求の範囲】
【請求項１】
複合型コネクタに下記内容が含まれている。
絶縁座体があり、基座と基座から前に伸びる舌板が含まれている。舌板に相対的な第一表面と第二表面がある。
第一絶縁板は基座に結合し、舌板に平行になり、第一表面の片側に設置されている。
複数第一導電端子パットの片側は舌板と離れた第一絶縁板の第一外側面にあり、反対側は伸びて基座を貫通する。
第二絶縁板は基座に結合し、舌板に平行になり、第二表面の片側に設置されている。
複数第二導電端子パットの片側は舌板と離れた第二絶縁板の第二外側面にあり、反対側は伸びて基座を貫通する。
複数第一弾性導通端子の片側は第一表面と第一絶縁板の間に設置され、反対側は伸びて基座を貫通する。
【請求項２】
請求項１で述べた複合型コネクタの中の第一導電端子パットはＬｉｇｈｔｎｉｎｇインターフェース仕様に対応し、第一絶縁板に設置されている。
【請求項３】
請求項１で述べた複合型コネクタの中の第二導電端子パットはＬｉｇｈｔｎｉｎｇインターフェース仕様に対応し、第二絶縁板に設置されている。
【請求項４】
請求項１で述べた複合型コネクタの中の第一弾性導通端子はＭｉｃｒｏ  ＵＳＢインターフェース仕様に対応し、第一絶縁板と舌板の間に設置されている。
【請求項５】
請求項１で述べた複合型コネクタの中に第二弾性導通端子が含まれている。
第二弾性導通端子の片側が第二表面と第二絶縁板の間に設置され、反対側は伸びて基座を貫通する。
【請求項６】
請求項５で述べた複合型コネクタの中の第二弾性導通端子はＭｉｃｒｏ  ＵＳＢインターフェース仕様に対応し、第二絶縁板と舌板の間に設置されている
【請求項７】
請求項１で述べた複合型コネクタに金属シェルが含まれている。金属シェルは基座の外をカバーし、そして前に伸びて第一絶縁板と第二絶縁板の外周を囲む。
【請求項８】
請求項７で述べた複合型コネクタの金属シェルは舌板の両側に分けてそれぞれ固定槽が形成している。
【請求項９】
請求項７で述べた複合型コネクタの金属シェルは第一導電端子パットと第二電端子パットを露出している。
【請求項１０】
請求項１で述べた複合型コネクタの基座に貫通している第一導電端子パット、第二導電端子パットと第一弾性導通端子は平行に設置されている。
【請求項１１】
請求項１で述べた複合型コネクタの絶縁座体に舌板の両側に伸びている第一柱止めと第二柱止めが含まれている。第一絶縁板、第一柱止め、舌板と第二柱止めの間に第一ソケットが形成している。第二絶縁板、第一柱止め、舌板と第二柱止めの間に第二ソケットが形成している。
【請求項１２】
請求項１１で述べた複合型コネクタの第一ソケットはＭｉｃｒｏ  ＵＳＢメスコネクタの接続に対応し、そして電気的に第一弾性導通端子につながっている。第二ソケットはＭｉｃｒｏ  ＵＳＢメスコネクタの接続に対応し、そして電気的に第二弾性導通端子につながっている。
【請求項１３】
請求項１１で述べた複合型コネクタの第一絶縁板はＬｉｇｈｔｎｉｎｇメスコネクタの接続に対応し、そして電気的に第一弾性導通端子につながっている。第二絶縁板はＬｉｇｈｔｎｉｎｇメスコネクタの接続に対応し、そして電気的に第二弾性導通端子につながっている。
【考案の詳細な説明】
【技術分野】
【０００１】本考案は、反対側でも挿入できるコネクタに関する複合型コネクタのことである。
【背景技術】
【０００２】ユニバーサル・シリアル・バス（Ｕｎｉｖｅｒｓａｌ  Ｓｅｒｉａｌ  Ｂｕｓは省略でＵＳＢ）によるホットスワップ及びプラグアンドプレイが対応できるようになったから、パソコンやモバイル機器、情報通信製品にたくさん使用されている。現在市場の多くのスマートフォンにマイクロＵＳＢ（Ｍｉｃｒｏ  ＵＳＢ）コネクタを有す通信線路を採用されているため、ＵＳＢジャックコネクタ仕様は、市場の主流となっている。またＬｉｇｈｔｎｉｎｇはアップル社の設計した専用コネクタ仕様で、このようなプラグコネクタは、左右対称のデザインなので、プラグピンの上下面に同じように分布し、ユーザーはどの方向に通信インターフェースにプラグインしても、そのどちら側のピン足が基座のセット足に接続することになる。その故、Ｌｉｇｈｔｎｉｎｇは方向性と関係なく使用できる。
【考案の概要】
【考案が解決しようとする課題】
【０００３】多くの通信インターフェースに通信対応できるよう、どのようにＭｉｃｒｏ  ＵＳＢとＬｉｇｈｔｎｉｎｇを整合するかは本考案者の研究の目標である。
【課題を解決するための手段】
【０００４】本考案の目的は、多くの通信インターフェースに通信対応できる複合型コネクタを提供することである。【０００５】本考案は複合型コネクタであり、その中に、絶縁座体、第一絶縁板、複数第一導電端子パット、第二絶縁板、複数第二導電端子パット、複数第一弾性導通端子が含まれている。絶縁座体に基座と基座から前に伸びる舌板が含まれている。舌板に相対的な第一表面と第二表面がある。第一絶縁板は基座に結合し、舌板と並行し、そして第一表面の片側に配置される。複数第一導電端子パットの片側は舌板と離れた第一絶縁板の第一外側面にあり、反対側は伸びて基座を貫通する。第二絶縁板は基座に結合し、舌板と並行し、そして第二表面の片側に配置される。複数第二導電端子パットの片側は舌板と離れた第二絶縁板の第二外側面にあり、反対側は伸びて基座を貫通する。複数第一弾性導通端子の片側は第一表面と第一絶縁板の間に設置され、反対側は伸びて基座を貫通する。【０００６】複合型コネクタに絶縁座体と両側に平行に設置された第一絶縁板と第二絶縁板が含まれている。複数第一導電端子パットは舌板と離れた第一絶縁板の外側面に設置され、複数第二導電端子パットは舌板と離れた第二絶縁板の外側面に設置され、複数第一弾性導通端子は絶縁座体の舌板の片側に設置されている。
【考案の効果】
【０００７】第一、第二導電端子パットはＬｉｇｈｔｎｉｎｇのインターフェース仕様に対応し、第一絶縁板と第二絶縁板に設置されている。さらに、複数第一及び第二弾性導通端子はＭｉｃｒｏ  ＵＳＢのインターフェース仕様に対応し、そして舌板に設置されている。これにより、Ｍｉｃｒｏ  ＵＳＢとＬｉｇｈｔｎｉｎｇのインターフェースを整合し、多くの通信インターフェースに通信対応できるようになる。
【図面の簡単な説明】
【０００８】
【図１】本考案の複合型コネクタの立体透視図
【図２】本考案の複合型コネクタのもう一つの立体透視図
【図３】本考案の複合型コネクタの立体外観図
【図４】本考案の複合型コネクタの片側断面図
【図５】本考案の複合型コネクタのもう一つの片側断面図
【図６】本考案の複合型コネクタのもう一つの実施形態図
【図７】本考案の複合型コネクタとＬｉｇｈｔｎｉｎｇメスコネクタと接続した時の断面図
【図８】本考案の複合型コネクタとＭｉｃｒｏ  ＵＳＢメスコネクタと接続した時の断面図
【図９】本考案の複合型コネクタともう一つのＭｉｃｒｏ  ＵＳＢメスコネクタと接続した時の断面図
【図１０】本考案の複合型コネクタの第二実施形態の立体透視図
【図１１】本考案の複合型コネクタの第二実施形態の断面図
【考案を実施するための形態】
【実施例】
【０００９】本考案で述べた内容及び実施形態は、図面と合わせて下記のよう説明する。添付した図面は参考と説明のためで、本考案を限定するためではない。【００１０】図１〜３の通りで、本考案の複合型コネクタの立体透視図と立体外観図。本考案は複合型コネクタ１であり、その中に絶縁座体１０、第一絶縁板２０、複数第一導電端子パット３０、第二絶縁板４０、複数第二導電端子パット５０と複数第一弾性導通端子６０が含まれている。第一絶縁板２０と第二絶縁板４０は絶縁座体１０の両側に結合されている。第一導電端子パット３０は第一絶縁板２０に、第二導電端子パット５０が第二絶縁板４０に設置されている。第一弾性導通端子６０は第一導電端子パット３０と第二導電端子パット５０の間に設置されている。以上により、複合型コネクタ１が成り立っている。【００１１】絶縁座体１０に基座１１と基座１１から前に伸びる舌板１２が含まれている。舌板１２に相対的な第一表面１２１と第二表面１２２がある。【００１２】第一絶縁板２０は基座１１に結合し、舌板１２と並行し、第一表面１２１の片側に設置されている。第一導電端子パット３０は平行になり、間隔に設置され、第一導電端子パット３０の片側は舌板１２と離れた第一絶縁板２０の第一外側面２１にあり、反対側が伸びて基座１１を貫通する。【００１３】第二絶縁板４０は基座１１に結合し、舌板１２と並行し、第二表面１２２の片側に設置されている。第二導電端子パット５０は平行になり、間隔に設置され、第二導電端子パット５０の片側は舌板１２と離れた第二絶縁板４０の第二外側面４１にあり、反対側が伸びて基座１１を貫通する。【００１４】第一弾性導通端子６０の片側が舌板１２の第一表面１２１と第一絶縁板２０の間に設置され、反対側が伸びて基座１１を貫通する。第二弾性導通端子７０の片側が舌板１２の第二表面１２２と第二絶縁板４０の間に設置され、反対側が伸びて基座１１を貫通する。【００１５】第一導電端子パット３０はＬｉｇｈｔｎｉｎｇのインターフェース仕様に対応し、第一絶縁板２０の上に設置されている。第二導電端子パット５０はＬｉｇｈｔｎｉｎｇのインターフェース仕様に対応し、第二絶縁板４０の上に設置されている。【００１６】第一弾性導通端子６０はＭｉｃｒｏ  ＵＳＢのインターフェース仕様に対応し、第一絶縁板２０と舌板１２の間に設置されている。【００１７】本考案の実施形態の中、複合型コネクタ１に金属シェル８０が含まれている。金属シェル８０は基座１１の外をカバーし、そして前に伸びて第一絶縁板２０と第二絶縁板４０の外周を囲む。本実施形態の中、金属シェル８０は舌板１２の両側にそれぞれ固定槽８１が形成している。具体的に金属シェル８０は六角柱になり、その金属シェル８０は第一導電端子パット３０と第二導電端子パット５０を露出している。【００１８】舌板１２の第一表面１２１に複数第一弾性導通端子６０がある。舌板１２の第二表面１２２に複数第二弾性導通端子７０がある。【００１９】図５の通り、本考案のもう一つの実施形態である。本実施形態の中、複合型コネクタ１’に複数第二弾性導通端子７０が含まれている。第二弾性導通端子７０はＭｉｃｒｏ  ＵＳＢのインターフェース仕様に対応し、第二絶縁板４０��舌板１２の間に設置されている。複数第二弾性導通端子７０の設置により、複合型コネクタ１から反対側でもＭｉｃｒｏ  ＵＳＢのメスコネクタに接続できるようになる。【００２０】図５、６の通りで、本考案の複合型コネクタの両側方向の断面図。図５で、本考案の複合型コネクタ１’はＬｉｇｈｔｎｉｎｇインターフェース仕様に対応する複数第一導電端子パット３０を第一絶縁板２０の上に設置している。また、Ｌｉｇｈｔｎｉｎｇインターフェース仕様に対応する複数第二導電端子パット５０を第二絶縁板４０の上に設置している。それとＭｉｃｒｏ  ＵＳＢに対応する複数第一弾性導通端子６０と複数第二弾性導通端子７０は舌板１２の両側面に相対に結合している。【００２１】図５の通りで、基座１１に貫通する第一導電端子パット３０、第二導電端子パット５０、第一弾性導通端子６０と第二弾性導通端子７０が平行に設置されている。【００２２】図６の通りで、絶縁座体１０に舌板１２の両側に伸びた第一柱止め１３と第二柱止め１４が含まれている。詳しく説明すると、第一絶縁板２０、第一柱止め１３、舌板１２と第二柱止め１４の間に第一ソケット２００が形成している。第二絶縁板４０、第一柱止め１３、舌板１２と第二柱止め１４の間に第二ソケット４００が形成している。本実施形態の中、第一柱止め１３と第二柱止め１４の断面が三角形になるが、実施する時その形を限定しない。【００２３】図７の通りで、本考案の複合型コネクタとＬｉｇｈｔｎｉｎｇメスコネクタと接続した時の断面図。複合型コネクタ１’の第一絶縁板２０はＬｉｇｈｔｎｉｎｇメスの接続に対応可能、そして電気的に第一導電端子パット３０につながっている。また、複合型コネクタ１’の第二絶縁板４０はＬｉｇｈｔｎｉｎｇメスの接続に対応可能、そして電気的に第二導電端子パット５０につながっている。【００２４】図の通りで、複合型コネクタ１’をＬｉｇｈｔｎｉｎｇコネクタ２に接続させることができる。Ｌｉｇｈｔｎｉｎｇコネクタ２は第一回路基板３に接続できる複数第一ピン足４を有する。複合型コネクタ１’とＬｉｇｈｔｎｉｎｇコネクタ２と接続した後、複合型コネクタ１の下の複数第二導電端子パット５０は電気的にＬｉｇｈｔｎｉｎｇコネクタ２の第一ピン足４につながるようになる。それによって、複合型コネクタ１’とＬｉｇｈｔｎｉｎｇコネクタ２の間に信号が伝わるようになる。【００２５】要するに、複合型コネクタ１’は反対側でもＬｉｇｈｔｎｉｎｇコネクタ２と接続できる。その時、複合型コネクタ１’の上の複数第一導電端子パット３０は電気的にＬｉｇｈｔｎｉｎｇコネクタ２の第二ピン足７につながるようになる。【００２６】図８〜９の通りで、本考案の複合型コネクタとＭｉｃｒｏ  ＵＳＢメスコネクタと接続した時の断面図。複合型コネクタ１の第一ソケット２００はＭｉｃｒｏ  ＵＳＢメスコネクタの接続に対応でき、そして電気的に第一弾性導通端子６０につながっている。第二ソケット４００はＭｉｃｒｏ  ＵＳＢメスコネクタの接続に対応でき、そして電気的に第二弾性導通端子パット７０につながっている。【００２７】図８の通りで、複合型コネクタ１’をＭｉｃｒｏ‐Ａコネクタ５に接続させることができる。Ｍｉｃｒｏ‐Ａコネクタ５は第���回路基板６に接続できる複数第二ピン足７を有する。本実施形態の中、Ｍｉｃｒｏ‐Ａコネクタ５は複合型コネクタ１’の第一ソケット２００に接続する。つまり、複合型コネクタ１’の第一弾性導通端子６０は電気的にＭｉｃｒｏ‐Ａコネクタ５の第二ソケット７につながるようになる。これにより、複合型コネクタ１’とＭｉｃｒｏ‐Ａコネクタ５の間に信号が伝わるようになる。【００２８】要するに、複合型コネクタ１’は反対側でもＭｉｃｒｏ‐Ａコネクタ５と接続できる。その時、複合型コネクタ１の第二ソケット４００の中に、第二弾性導電端子パット７０は電気的にＭｉｃｒｏ‐Ａコネクタ５の第二ピン足７につながるようになる。【００２９】図９の通りで、複合型コネクタ１’をＭｉｃｒｏ‐Ｂコネクタ５’に接続させることができる。Ｍｉｃｒｏ‐Ｂコネクタ５’は第二回路基板６’に接続できる複数第二ピン足７’を有する。本実施形態の中、Ｍｉｃｒｏ‐Ｂコネクタ５’は複合型コネクタ１の第一ソケット２００の中に接続している。つまり、複合型コネクタ１’の第一弾性導通端子６０は電気的にＭｉｃｒｏ‐Ｂ型コネクタ５’の第二ピン足７’につながるようになる。これによって、複合型コネクタ１’とＭｉｃｒｏ‐Ｂコネクタ５’の間に信号が伝わるようになる。【００３０】要するに、複合型コネクタ１’は反対側でもＭｉｃｒｏ‐Ｂコネクタ５’と接続できる。その時、複合型コネクタ１の第二ソケット４００の中に、第二弾性導電端子パット７０は電気的にＭｉｃｒｏ‐Ｂコネクタ５’の第二ピン足７につながるようになる。【００３１】複合型コネクタ１’とＭｉｃｒｏ  ＵＳＢと接続する時、Ｍｉｃｒｏ  ＵＳＢメスと第一ソケット２００もしくは第二ソケット４００の両側の第一柱止め１３と第二柱止め１４はそれぞれ隙間１００が出るようになる。【００３２】図１０〜１１の通りで、本考案の複合コネクタの第二形態実施の立体図、断面図である。本実施形態は前の実施形態と大体同じで、複合型コネクタ１ａに絶縁座体１０ａ、第一絶縁板２０ａ、複数第一導電端子パット３０ａ、第二絶縁板４０ａ、複数第二導電端子パット５０ａ、複数第一弾性導通端子６０ａ、複数第二弾性導通端子７０ａと金属シェル８０ａが含まれている。また絶縁座体１０ａに基座１１ａと舌板１２ａが含まれている。絶縁座体１０ａに舌板１２ａから延びる両側の第一柱止め１３ａと第二柱止め１４ａが含まれている。本実施形態の違うところは第一柱止め１３ａと第二柱止め１４ａの実施形態である。【００３３】詳しく説明すると、第一絶縁板２０ａ、第一柱止め１３ａ、舌板１２ａと第二柱止め１４ａの間に第一ソケット２００ａが形成している。第二絶縁板４０ａ、第一柱止め１３ａ、舌板１２ａと第二柱止め１４ａの間に第二ソケット４００ａが形成している。本実施形態の中、第一柱止め１３ａと第二柱止め１４ａの断面が五角形になる。第一ソケット２００ａと第二ソケット４００ａの設定された寸法はＭｉｃｒｏ  ＵＳＢメスと合わせている。つまり、複合型コネクタ１ａがＭｉｃｒｏ  ＵＳＢメスと接続する時、ＭｉｃｒｏＵＳＢメスは第一ソケット２００ａもしくは第二ソケット４００ａの中の第一柱止め１３ａと第二柱止め１４ａに貼りつくようになる。それにより、接続��安定になる。【００３４】上述内容は本考案の実施例であり、本考案を限定するためではない。本考案のほかの実用を運用した場合でも、本考案の実用範囲である。
【符号の説明】
【００３５】１、１’、１ａ        複合型コネクタ
２                    Ｌｉｇｈｔｎｉｎｇコネクタ
３                    第一回路基板
４                    第一ピン足
５                    Ｍｉｃｒｏ‐Ａ型コネクタ
５’                  Ｍｉｃｒｏ‐Ｂ型コネクタ
６、６’              第二回路基板
７、７’              第二ピン足
１０、１０ａ          絶縁座体
１００                隙間
１１、１１ａ          基座
１２、１２ａ          舌板
１２１                第一表面
１２２                第二表面
１３、１３ａ          第一柱止め
１４、１４ａ          第二柱止め
２０、２０ａ          第一絶縁板
２００、２００ａ      第一ソケット
２１                  第一外側面
３０、３０ａ          第一導電端子パット
４０、４０ａ          第二絶縁板
４００、４００ａ      第二ソケット
４１                  第二外側面
５０、５０ａ          第二導電端子パット
６０、６０ａ          第一弾性導通端子
７０、７０ａ          第二弾性導通端子
８０、８０ａ          金属シェル
８１                  固定槽
【図１】
0003207349.tif 000003
【図２】
0003207349.tif 000004
【図３】
0003207349.tif 000005
【図４】
0003207349.tif 000006
【図５】
0003207349.tif 000007
【図６】
0003207349.tif 000008
【図７】
0003207349.tif 000009
【図８】
0003207349.tif 000010
【図９】
0003207349.tif 000011
【図１０】
0003207349.tif 000012
【図１１】
0003207349.tif 000013
【手続補正書】
【提出日】平成28年8月17日(2016.8.17)
【手続補正１】
【補正対象書類名】実用新案登録請求の範囲
【補正対象項目名】全文
【補正方法】変更
【補正の内容】
【実用新案登録請求の範囲】
【請求項１】
複合型コネクタがあり、その中に絶縁座体があり、基座と基座から前に伸びる舌板が含まれ、舌板に相対的な第一表面と第二表面があり；第一絶縁板は基座に結合し、舌板に平行になり、第一表面の片側に設置され；複数第一導電端子パットの片側は舌板と離れた第一絶縁板の第一外側面にあり、反対側は伸びて基座を貫通し；第二絶縁板は基座に結合し、舌板に平行になり、第二表面の片側に設置され；複数第二導電端子パットの片側は舌板と離れた第二絶縁板の第二外側面にあり、反対側は伸びて基座を貫通し；複数第一弾性導通端子の片側は第一表面と第一絶縁板の間に設置され、反対側は伸びて基座を貫通する、以上の構成からなることを特徴とする複合型コネクタ。
【請求項２】
前述の第一導電端子パットはＬｉｇｈｔｎｉｎｇインターフェース仕様に対応し、第一絶縁板に設置されていることを特徴とする請求項１記載の複合型コネクタ。
【請求項３】
前述の第二導電端子パットはＬｉｇｈｔｎｉｎｇインターフェース仕様に対応し、第二絶縁板に設置されていることを特徴とする請求項１記載の複合型コネクタ。
【請求項４】
前述の第一弾性導通端子はＭｉｃｒｏ  ＵＳＢインターフェース仕様に対応し、第一絶縁板と舌板の間に設置されていることを特徴とする請求項１記載の複合型コネクタ。
【請求項５】
前述の第二弾性導通端子は、第二弾性導通端子の片側が第二表面と第二絶縁板の間に設置され、反対側は伸びて基座を貫通することを特徴とする請求項１記載の複合型コネクタ。
【請求項６】
前述の第二弾性導通端子はＭｉｃｒｏ  ＵＳＢインターフェース仕様に対応し、第二絶縁板と舌板の間に設置されていることを特徴とする請求項５記載の複合型コネクタ。
【請求項７】
前述の金属シェルが基座の外をカバーし、そして前に伸びて第一絶縁板と第二絶縁板の外周を囲むことを特徴とする請求項１記載の複合型コネクタ。
【請求項８】
前述の金属シェルは舌板の両側に分けてそれぞれ固定槽が形成していることを特徴とする請求項７記載の複合型コネクタ。
【請求項９】
前述の金属シェルは第一導電端子パットと第二電端子パットを露出していることを特徴とする請求項７記載の複合型コネクタ。
【請求項１０】
前述の基座に貫通している第一導電端子パット、第二導電端子パットと第一弾性導通端子は平行に設置されていることを特徴とする請求項１記載の複合型コネクタ。
【請求項１１】
前述の絶縁座体に舌板の両側に伸びている第一柱止めと第二柱止めが含まれ、第一絶縁板、第一柱止め、舌板と第二柱止めの間に第一ソケットが形成し、第二絶縁板、第一柱止め、舌板と第二柱止めの間に第二ソケットが形成していることを特徴とする請求項１記載の複合型コネクタ。
【請求項１２】
前述の第一ソケットはＭｉｃｒｏ  ＵＳＢメスコネクタの接続に対応し、そして電気的に第一弾性導通端子につながり；第二ソケットはＭｉｃｒｏ  ＵＳＢメスコネクタの接続に対応し、そして電気的に第二弾性導通端子につながっていることを特徴とする請求項１１記載の複合型コネクタ。
【請求項１３】
前述の第一絶縁板はＬｉｇｈｔｎｉｎｇメスコネクタの接続に対応し、そして電気的に第一弾性導通端子につながり；第二絶縁板はＬｉｇｈｔｎｉｎｇメスコネクタの接続に対応し、そして電気的に第二弾性導通端子につながっていることを特徴とする請求項１１記載の複合型コネクタ。